(57)【特許請求の範囲】
【請求項１】
上方に開放した箱形の容器本体と、
前記容器本体の上端部から外側に張り出したフランジ部と、
前記フランジ部より下方で前記容器本体の外側面から突出した複数の積上支持突部と、
前記容器本体の内側面に陥没形成され、前記フランジ部の上面で開口した複数の受容ポケットと、を有する容器であって、
複数の容器が段積みされる際に、下段側の容器に対して上段側の容器が平面視１８０度回転されるか否かによって、前記上段側の容器の前記積上支持突部が前記下段側の容器の前記フランジ部に上方から当接するスタッキング状態と、前記上段側の容器の前記積上支持突部が前記下段側の容器の前記受容ポケットに受容されるネスティング状態と、に変更可能な容器において、
前記複数の積上支持突部は、それらの横方向の一部が、前記スタッキング状態で前記受容ポケットの上方に配置されると共に、前記一部から下方に突出して前記スタッキング状態で前記受容ポケットに受容されるポケット底壁重ね部を有し、
前記ポケット底壁重ね部は、前記ネスティング状態のときに下段側に配置される容器の前記受容ポケットの底壁に上方から重ねられ、前記容器が前記容器よりも背丈の低い容器の上に前記ネスティング状態に段積みされた場合に、前記背丈の低い容器の前記受容ポケットの底壁に当接して前記背丈の低い容器への嵌り込みを規制する容器。
【請求項２】
前記容器本体の対向する１対の側壁に、１対ずつの前記積上支持突部と１対ずつの前記受容ポケットとが配置され、
前記スタッキング状態で、上段側の容器の前記ポケット底壁重ね部が、下段側の前記容器の各前記側壁における１対ずつの前記受容ポケットの互いに近い側の内側面か、又は、互いに遠い側の内側面に隣接する請求項１に記載の容器。
【請求項３】
前記積上支持突部は、前記容器本体の外側面に突設されて上下方向に延びる突部構成縦リブを有し、
前記ポケット底壁重ね部は、前記突部構成縦リブを下方に延長してなる延長リブで構成されている請求項１又は２に記載の容器。
【発明の詳細な説明】
【技術分野】
【０００１】
本発明は、外側面から突出する複数の積上支持突部を備える一方、内側面に複数の突部受容ポケットが形成された容器であって、段積みされる際に、上段側の容器の積上支持突部が下段側の容器の側壁上部と当接するスタッキング状態と、上段側の容器の積上支持突部が下段側の容器の受容ポケットに受容されるネスティング状態と、に変更可能な容器に関する。
【背景技術】
【０００２】
従来、この種の容器として、容器の外側面のうち積上支持突部の下方に位置する部分に位置決めリブが突設され、スタッキング状態に段積みされたときに、上段側の容器の位置決めリブが下段側の容器の上部開口縁に内側から突き当てられることで、上段側の容器の水平方向の移動が抑制されるものが知られている。
【先行技術文献】
【特許文献】
【０００３】
【特許文献１】特開平１０−１９４２８７号公報（段落［０００３］〜［０００５］、図４〜６）
【発明の概要】
【発明が解決しようとする課題】
【０００４】
ところで、位置決めリブを備えた容器がネスティング状態に段積みされる場合において、特に、下段側の容器が上段側の容器よりも背丈が低いと、上段側の容器に上方から負荷がかかったときに上段側の容器の位置決めリブが下段側の容器の内側面に押し付けられて、上段側の容器が下段側の容器に嵌り込むという問題があった。また、上段側の容器が位置決めリブを備えない場合であっても、下段側の容器における側壁の傾斜度合いによっては、やはり、上段側の容器に上方から負荷がかかったときに上段側の容器が下段側の容器に嵌り込むという問題が生じ得る。このように、従来の容器では、ネスティング状態に段積みされた場合に、上段側の容器が下段側の容器に嵌り込むという問題が生じ得た。
【０００５】
本発明は、上記事情に鑑みてなされたもので、ネスティング状態における下段側の容器への嵌り込みを抑制可能な容器の提供を目的とする。
【課題を解決するための手段】
【０００６】
上記目的を達成するためになされた請求項１の発明は、上方に開放した箱形の容器本体と、前記容器本体の上端部から外側に張り出したフランジ部と、前記フランジ部より下方で前記容器本体の外側面から突出した複数の積上支持突部と、前記容器本体の内側面に陥没形成され、前記フランジ部の上面で開口した複数の受容ポケットと、を有する容器であって、複数の容器が段積みされる際に、下段側の容器に対して上段側の容器が平面視１８０度回転されるか否かによって、前記上段側の容器の前記積上支持突部が前記下段側の容器の前記フランジ部に上方から当接するスタッキング状態と、前記上段側の容器の前記積上支持突部が前記下段側の容器の前記受容ポケットに受容されるネスティング状態と、に変更可能な容器において、前記複数の積上支持突部は、それらの横方向の一部が、前記スタッキング状態で前記受容ポケットの上方に配置されると共に、前記一部から下方に突出して前記スタッキング状態で前記受容ポケットに受容されるポケット底壁重ね部を有し、前記ポケット底壁重ね部は、前記ネスティング状態のときに下段側に配置される容器の前記受容ポケットの底壁に上方から重ねられ、前記容器が前記容器よりも背丈の低い容器の上に前記ネスティング状態に段積みされた場合に、前記背丈の低い容器の前記受容ポケットの底壁に当接して前記背丈の低い容器への嵌り込みを規制する容器である。
【０００７】
請求項２の発明は、前記容器本体の対向する１対の側壁に、１対ずつの前記積上支持突部と１対ずつの前記受容ポケットとが配置され、前記スタッキング状態で、上段側の容器の前記ポケット底壁重ね部が、下段側の前記容器の各前記側壁における１対ずつの前記受容ポケットの互いに近い側の内側面か、又は、互いに遠い側の内側面に隣接する請求項１に記載の容器である。
【０００８】
請求項３の発明は、前記積上支持突部は、前記容器本体の外側面に突設されて上下方向に延びる突部構成縦リブを有し、前記ポケット底壁重ね部は、前記突部構成縦リブを下方に延長してなる延長リブで構成されている請求項１又は２に記載の容器である。
【発明の効果】
【０００９】
［請求項１の発明］
本発明では、積上支持突部より下方に位置するポケット底壁重ね部が、ネスティング状態のときに下段側に配置される容器の受容ポケットの底壁に上方から重ねられる。そして、容器が当該容器より背丈の低い容器の上にネスティング状態に段積みされると、ポケット底壁重ね部が、下段側に配置される背丈の低い容器の受容ポケットの底壁に当接して、その下段側の容器への嵌り込みを規制する。このように、本発明の容器によれば、ネスティング状態において下段側の容器へ嵌り込むことを抑制可能となる。
【００１０】
また、本発明では、スタッキング状態に段積みされたときに、下段側の容器の受容ポケットに上段側の容器のポケット底壁重ね部が受容されるので、下段側の容器のフランジ部の上面に上段側の容器のポケット底壁重ね部を当接させることなく積上支持突部を当接させることが可能となり、スタッキング状態における容器の段積みの安定化が図られる。また、ネスティング状態において積上支持突部を受容する受容ポケットに、ポケット底壁重ね部が受容されるので、ポケット底壁重ね部を受容するためのポケットを容器に新設する必要がなくなる。
【００１１】
［請求項３の発明］
本発明では、ポケット底壁重ね部は、容器本体の外側面に突設されて上下方向に延びる突部構成縦リブを下方に延長してなる延長リブで構成されているので、ポケット底壁重ね部の強度アップが図られる。
【図面の簡単な説明】
【００１２】
【図１】本発明の一実施形態に係る容器を上方から見た斜視図
【図２】容器を下方から見た斜視図
【図３】図２に示す状態から平面視１８０度回転させたときの容器を下方から見た斜視図
【図４】第１短辺側壁の下端部周辺の拡大図
【図５】図４における積上支持突部の下端部周辺の拡大図
【図６】第２短辺側壁の下端部周辺の拡大図
【図７】複数段積みされた容器の斜視図
【図８】スタッキング状態に段積みされた容器の側断面図
【図９】ネスティング状態に段積みされた容器の側断面図
【図１０】スタッキング状態に段積みされた容器の積上支持突部周辺の斜視図
【図１１】スタッキング状態に段積みされた容器における（Ａ）第２短辺側壁周辺の一部破断斜視図、（Ｂ）第１短辺側壁周辺の一部破断斜視図
【図１２】図１に示す容器より背丈の低い容器の斜視図
【図１３】背丈の低い容器の上に背丈の高い容器がネスティング状態に段積みされたときの２つの容器の側断面図
【図１４】変形例に係る容器を下方から見た斜視図
【図１５】図１４に示す容器がスタッキング状態に段積みされたときの（Ａ）第２短辺側壁周辺の一部破断斜視図、（Ｂ）第１短辺側壁周辺の一部破断斜視図
【発明を実施するための形態】
【００１３】
図１に示すように、本実施形態の容器１０は、上面が開放した箱形の容器本体１０Ｈを有している。容器本体１０Ｈは、長方形状の底壁１１の外縁部から側壁１２が起立した構造になっている。容器本体１０Ｈの側壁１２は、上側へ向かうに従って開口が拡張されるように傾斜している。詳細には、側壁１２は、容器本体１０Ｈの平面形状の長辺部に位置する長辺側壁１３と、その平面形状の短辺部に位置する短辺側壁１４と、その平面形状の四隅に位置して長辺側壁１３と短辺側壁１４を連絡するコーナー連絡部１５と、からなる。
【００１４】
容器本体１０Ｈの上端部からは、フランジ部２１が外側に張り出している。詳細には、フランジ部２１は、容器本体１０Ｈの上端寄り部分全体から張り出していて、側壁１２の上端から外側に張り出した上端張出壁２２と、側壁１２のうち上端張出壁２２より下方位置から外側に張り出した複数の中間張出壁２４と、を有している。また、フランジ部２１には、側壁１２の上端部から突出して上下方向に延びた複数の縦リブ２３が設けられ、それら複数の縦リブ２３により上端張出壁２２と複数の中間張出壁２４とが連結されている。
【００１５】
本実施形態では、複数の中間張出壁２４として、上端張出壁２２より若干下方に配置される第１中間張出壁２４Ａと、第１中間張出壁２４Ａより若干下方に配置される第２中間張出壁２４Ｂと、第２中間張出壁２４Ｂより下方で、且つ、容器１０の上下方向における略中央に配置される第３中間張出壁２４Ｃと、が備えられている。第１中間張出壁２４Ａは、容器本体１０Ｈの外周部全体に亘って配置されている。第２中間張出壁２４Ｂは、長辺側壁１３の外面において途中部分が分断されている。第３中間張出壁２４Ｃは、長辺側壁１３の外面と短辺側壁１４の外面の両方において途中部分が分断されている。なお、短辺側壁１４における幅方向の中間部のうち第１中間張出壁２４Ａと第２中間張出壁２４Ｂとに挟まれた部分には、持ち手孔１６が形成されている。
【００１６】
図１に示すように、容器本体１０Ｈのうちフランジ部２１より下方の外側面からは、複数の積上支持突部３１が突出している。また、容器本体１０Ｈの内側面には、フランジ部２１の上面で開口する複数の受容ポケット４１が陥没形成されている。そして、これら積上支持突部３１及び受容ポケット４１を含む容器１０の形状が、図１〜図３に示すように、容器本体１０Ｈの平面形状における短辺の中心同士を結ぶ線（即ち、短辺側壁１４の幅方向の中心同士を結ぶ線）に対して対称な形状をなす一方、長辺の中心同士を結ぶ線（即ち、長辺側壁１３の幅方向の中心同士を結ぶ線）に対して非対称な形状になっている。
【００１７】
図１〜図３に示すように、積上支持突部３１は、容器本体１０Ｈにおける上下方向の略中央位置から下端寄り位置に亘って上下方向に延在し、積上支持突部３１の上端はフランジ部２１の下端部（即ち、第３中間張出壁２４Ｃ）に繋がっている。詳細には、積上支持突部３１には、横並びに配置される１対の突部構成縦リブ３２，３２と、それら１対の突部構成縦リブ３２，３２の下端部同士を連絡する突部構成横リブ３３と、が備えられていて、各突部構成縦リブ３２が第３中間張出壁２４Ｃに連絡している。
【００１８】
図１に示すように、受容ポケット４１は、積上支持突部３１に対して水平方向にずれた位置に配置されている。そして、容器１０の上に別の容器１０が同じ向きで積み上げられると、図８に示すように、上段側の容器１０の積上支持突部３１が下段側の容器１０のフランジ部２１の上面（即ち、上端張出壁２２の上面）と当接するスタッキング状態となる。なお、図７に示される３つの容器１０のうち一番上の容器１０と真ん中の容器１０とは、スタッキング状態に段積みされている。
【００１９】
受容ポケット４１は、容器本体１０Ｈの上端寄り部分（詳細には、外側にフランジ部２１を有する部分）の内側に形成され、受容ポケット４１の深さは、容器１０においてフランジ部２１（フランジ部２１の下端の第３中間張出壁２４Ｃ）より下方に配置される部分の高さと略同じになっている。また、受容ポケット４１は、容器１０を平面視１８０度回転させたときの積上支持突部３１に対応する位置に配置され、対応する積上支持突部３１を受容可能な大きさ（具体的には、容器１０の辺方向に沿った幅と容器１０の内外方向に沿った奥行）を有している。そして、容器１０の上に別の容器１０が平面視１８０度回転させた状態で積み上げられると（即ち、図１に示した向きの容器１０の上に図３に示した向きの容器１０が積み上げられると）、図９に示すように、上段側の容器１０の積上支持突部３１が下段側の容器１０の受容ポケット４１に受容されるネスティング状態となる。容器１０がネスティング状態に段積みされると、上段側の容器１０のフランジ部２１の下端（第３中間張出壁２４Ｃ）が下段側の容器１０のフランジ部２１の上面（上端張出壁２２の上面）に当接する。なお、図７に示される３つの容器１０のうち真ん中の容器１０と一番下の容器１０とは、ネスティング状態に段積みされている。
【００２０】
図１〜図３に示すように、積上支持突部３１には、横幅が異なる２種類が存在し、その積上支持突部３１の種類に対応して、受容ポケット４１にも、横幅が異なる２種類が存在する。具体的には、１対の長辺側壁１３，１３のうち一方の長辺側壁１３である第１長辺側壁１３Ａの両側部には、積上支持突部３１と受容ポケット４１が１つずつ設けられている。第１長辺側壁１３Ａの左側部に設けられた積上支持突部３１は、第１長辺側壁１３Ａの右側部に設けられた積上支持突部３１よりも幅狭になっていて（図２参照）、第１長辺側壁１３Ａの左側部に設けられた受容ポケット４１は、第１長辺側壁１３Ａの右側部に設けられた受容ポケット４１よりも幅広になっている（図１参照）。また、１対の長辺側壁１３，１３のうち他方の長辺側壁１３である第２長辺側壁１３Ｂの両側部にも、積上支持突部３１と受容ポケット４１が１つずつ設けられている。第２長辺側壁１３Ｂの左側部に設けられた積上支持突部３１は、第２長辺側壁１３Ｂの右側部に設けられた積上支持突部３１よりも幅広になっていて（図３参照）、第２長辺側壁１３Ｂの左側部に設けられた受容ポケット４１は、第２長辺側壁１３Ｂの右側部に設けられた受容ポケット４１よりも幅狭になっている（図１参照。なお、図１では左右が逆に示されている。）。
【００２１】
また、積上支持突部３１及び受容ポケット４１は、１対の短辺側壁１４，１４のうち一方の短辺側壁１４である第１短辺側壁１４Ａの両側部に１つずつ設けられると共に、他方の短辺側壁１４である第２短辺側壁１４Ｂの両側部にも１つずつ設けられている。第１短辺側壁１４Ａの両側部に設けられた積上支持突部３１は、第２短辺側壁１４Ｂの両側部に設けられた積上支持突部３１よりも幅広になっていて（図２及び図３参照）、第１短辺側壁１４Ａの両側部に設けられた受容ポケット４１は、第２短辺側壁１４Ｂの両側部に設けられた受容ポケット４１よりも幅狭になっている（図１参照）。
【００２２】
図２、図３及び図９に示すように、本実施形態の容器１０には、積上支持突部３１より下方に位置し、ネスティング状態（図９参照）のときに、下段側に配置される容器１０の受容ポケット４１の底壁４１Ｓに上方から重ねられるポケット底壁重ね部５０が備えられている。なお、図９に示す例では、ネスティング状態において、上段側の容器１０のポケット底壁重ね部５０が下段側の容器１０の受容ポケット４１の底壁４１Ｓに当接しているが、上段側の容器１０のポケット底壁重ね部５０が下段側の容器１０における受容ポケット４１の底壁４１Ｓから浮き上がっていてもよい。
【００２３】
本実施形態の例では、ポケット底壁重ね部５０は、積上支持突部３１の真下で容器本体１０Ｈの外側面から外側に突出すると共に、積上支持突部３１の下端部（即ち、突部構成横リブ３３）に繋がっている。容器本体１０Ｈの外側面からのポケット底壁重ね部５０の突出量は、受容ポケット４１の奥行（容器１０の内外方向の長さ）と略同じになっている。また、ポケット底壁重ね部５０は、積上支持突部３１を構成する１対の突部構成縦リブ３２，３２のうち一方の突部構成縦リブ３２を下方に延長してなる延長リブ５１によって構成されている。
【００２４】
図１０に示すように、本実施形態では、複数の容器１０がスタッキング状態に段積みされたとき、上段側の容器１０のポケット底壁重ね部５０（延長リブ５１）が下段側の容器１０の受容ポケット４１に受容されるようになっている。
【００２５】
具体的には、ポケット底壁重ね部５０は、容器本体１０Ｈの短辺部にのみ形成されていて、第１短辺側壁１４Ａから突出するポケット底壁重ね部５０は、第１短辺側壁１４Ａに設けられた１対の積上支持突部３１，３１の内寄り部分（第１短辺側壁１４Ａの幅方向中央側の部分）の真下に配置されている（図２参照）。また、第２短辺側壁１４Ｂから突出するポケット底壁重ね部５０は、第２短辺側壁１４Ｂに設けられた１対の積上支持突部３１，３１の外寄り部分（第２短辺側壁１４Ｂの幅方向外側の部分）の真下に配置されている（図３参照）。より具体的には、第１短辺側壁１４Ａから突出するポケット底壁重ね部５０は、積上支持突部３１のうち第１短辺側壁１４Ａの幅方向中央側に配置される突部構成縦リブ３２から延設された延長リブ５１によって構成され（図４参照）、第２短辺側壁１４Ｂから突出するポケット底壁重ね部５０は、積上支持突部３１のうち第２短辺側壁１４Ｂの幅方向外側に配置される突部構成縦リブ３２から延設された延長リブ５１によって構成されている（図６参照）。
【００２６】
そして、容器１０がスタッキング状態に段積みされると、上段側の容器１０の第１短辺側壁１４Ａに設けられた１対の積上支持突部３１，３１の内寄り部分が、下段側の容器１０の第１短辺側壁１４Ａに設けられた１対の受容ポケット４１，４１の外寄り部分の上に配置される（図１０における３つの容器１０のうちの一番上の容器１０と真ん中の容器１０を参照）。また、図示はしないが、上段側の容器１０の第２短辺側壁１４Ｂに設けられた１対の積上支持突部３１，３１の外寄り部分が、下段側の容器１０の第２短辺側壁１４Ｂに設けられた１対の受容ポケット４１，４１の内寄り部分の上に配置される。そして、上段側の容器１０の第１短辺側壁１４Ａから突出する１対のポケット底壁重ね部５０，５０（延長リブ５１，５１）が、下段側の容器１０の第１短辺側壁１４Ａに設けられた１対の受容ポケット４１，４１に受容され（図１１（Ｂ）参照）、上段側の容器１０の第２短辺側壁１４Ｂから突出する１対のポケット底壁重ね部５０，５０（延長リブ５１，５１）が、下段側の容器１０の第２短辺側壁１４Ｂに設けられた１対の受容ポケット４１，４１に受容される（図１１（Ａ）参照）。
【００２７】
ここで、図１１（Ａ）に示すように、第２短辺側壁１４Ｂから突出する１対のポケット底壁重ね部５０，５０（延長リブ５１，５１）は、１対の受容ポケット４１，４１の内側面のうち第２短辺方向１４Ｂの幅方向外側を向く面を挟むように配置される。また、図１１（Ｂ）に示すように、第１短辺側壁１４Ａから突出するポケット底壁重ね部５０，５０は、１対の受容ポケット４１，４１の内側面のうち第１短辺側壁１４Ａの幅方向中央側を向く面に挟まれるように配置される。このように、本実施形態の容器１０では、スタッキング状態に段積みされたときに、上段側の容器１０の各短辺部に形成された１対のポケット底壁重ね部５０，５０が１対の受容ポケット４１，４１の内側面によってその短辺方向に位置決めされるので、上段側の容器１０が下段側の容器１０に対して短辺方向に移動することが抑制される。
【００２８】
図５に示すように、延長リブ５１のうち容器本体１０Ｈの外側面（側壁１２）に近い側の端部は、その端部に対して容器本体１０Ｈの外側面から離れて位置する部分よりも厚肉となった厚肉部５２Ａとなっている。また、延長リブ５１のうち積上支持突部３１（突部構成横リブ３３）に近い側の端部は、その端部に対して積上支持突部３１から離れて位置する部分よりも厚肉となった厚肉部５２Ｂとなっている。このように、本実施形態では、延長リブ５１に厚肉部５２Ａ，５２Ｂが形成されることにより、延長リブ５１の強度アップが図られている。なお、厚肉部５２Ａは、容器本体１０Ｈの外側面へ近づくに従って厚肉となる三角形状に形成されていて、厚肉部５２Ｂは、積上支持突部３１へ近づくに従って厚肉となる三角形状に形成されている。
【００２９】
また、延長リブ５１のうち容器本体１０Ｈの外側面から離れた側の下端面は、容器本体１０Ｈの外側面から離れるに従って上側を向く円弧状に湾曲したＲ面５３となっている。本実施形態の容器１０では、延長リブ５１にＲ面５３が形成されていることにより、スタッキング状態又はネスティング状態に段積みされた複数の容器１０から上段側の容器１０をスムーズに取り出すことが可能となる。また、延長リブ５１にＲ面５３が形成されているので、容器１０の長辺方向の一方側を持ち上げて容器１０を引き摺る場合に、延長リブ５１が地面等に引っ掛かり難くなり、容器１０をスムーズに移動させることが可能となる。
【００３０】
図２及び図３に示すように、本実施形態の容器１０では、容器本体１０Ｈのうち積上支持突部３１より下方の外側面から位置決めリブ６１が突出している。位置決めリブ６１は、上述した延長リブ５１よりも容器本体１０Ｈの外側面からの突出量が小さくなっていて、スタッキング状態（図８参照）のときに、下段側の容器１０の容器本体１０Ｈ（詳細には、容器本体１０Ｈのうち受容ポケット４１が形成されていない部分）に内側から突き当てられて、上段側の容器１０の下段側の容器１０に対する水平方向の移動を防止する。
【００３１】
本実施形態では、位置決めリブ６１は、各積上支持突部３１の真下に配置されている。具体的には、位置決めリブ６１は、延長リブ５１と同様に、積上支持突部３１を構成する突部構成縦リブ３２から下方に延設されている。なお、容器本体１０Ｈの長辺部においては、積上支持突部３１を構成する１対の突部構成縦リブ３２，３２のそれぞれの下方から位置決めリブ６１が延設されている。容器本体１０Ｈの短辺部においては、積上支持突部３１を構成する１対の突部構成縦リブ３２，３２のうち一方の突部構成縦リブ３２の下方から上述したポケット底壁重ね部５０が延設され、他方の突部構成縦リブ３２の下方に位置決めリブ６１が延設されている。
【００３２】
図５に示すように、位置決めリブ６１のうち容器本体１０Ｈの外側面に近い側の端部は、その端部に対して容器本体１０Ｈの外側面から離れて位置する部分よりも肉厚が厚くなった厚肉部６２となっている。なお、本実施形態の例では、位置決めリブ６１は、容器本体１０Ｈの外側面へ近づくに従って厚肉となる三角形状又は台形状に形成されている。
【００３３】
図１２には、図１に示した容器１０よりも背丈の低い容器１０Ｓが示されている。容器１０Ｓの基本構成は、容器１０と同じになっていて、容器１０Ｓと容器１０とでは、主として、フランジ部２１の高さが相違する。具体的には、容器１０Ｓのフランジ部２１では、容器１０のフランジ部２１と比較して、第２中間張出壁２４Ｂと第３中間張出壁２４Ｃとの間の間隔が狭くなっている。なお、図１２に示す容器１０Ｓは、ポケット底壁重ね部５０を備えていないが、容器１０と同様に、ポケット底壁重ね部５０を備えてもよい。
【００３４】
図１２に示す容器１０Ｓの上には、図１に示した容器１０が、スタッキング状態とネスティング状態の両方の状態で段積み可能となっている。なお、容器１０が容器１０Ｓの上にスタッキング状態に段積みされた場合も、上段側の容器１０のポケット底壁重ね部５０が、下段側の容器１０Ｓの受容ポケット４１に受容される。従って、下段側の容器１０Ｓのフランジ部の上面に上段側の容器１０のポケット底壁重ね部５０を当接させることなく積上支持突部３１を当接させることが可能となり、スタッキング状態における容器１０の段積みの安定化が図られる。
【００３５】
容器１０Ｓの上に容器１０がネスティング状態に段積みされると、図１３に示すように、上段側の容器１０の積上支持突部３１が、下段側の容器１０Ｓの受容ポケット４１に受容される。ここで、下段側の容器１０Ｓの受容ポケット４１の深さは、上段側の容器１０の積上支持突部３１の高さよりも小さくなっているので、上段側の容器１０のポケット底壁重ね部５０（延長リブ５１）が受容ポケット４１の底壁４１Ｓに突き当てられ、上段側の容器１０のフランジ部２１が下段側の容器１０Ｓのフランジ部２１から浮き上がった状態となる。なお、図１３に示す例では、位置決めリブ６１の一部が受容ポケット４１内に収まって底壁４１Ｓと当接する構成となっているが、位置決めリブ６１全体が受容ポケット４１よりも容器本体１０Ｈの内側に配置されて底壁４１Ｓと当接しない構成であってもよい。この場合、ポケット底壁重ね部５０（延長リブ５１）が位置決めリブ６１よりも上下方向で短く形成されて、ポケット底壁重ね部５０の下端が位置決めリブ６１の下端よりも上側に配置されてもよい。
【００３６】
ここで、本実施形態の容器１０では、ポケット底壁重ね部５０（延長リブ５１）の容器本体１０Ｈの外側面からの突出量が受容ポケット４１の奥行と略同じになっていて、上段側の容器１０が上方から負荷を受けた場合に、上段側の容器１０が下段側の容器１０Ｓの内側に嵌り込むことが規制される。このように、本実施形態では、容器１０が背丈の低い容器１０Ｓの上にネスティング状態に段積みされた場合に、上段側の容器１０のポケット底壁重ね部５０（延長リブ５１）が下段側の容器１０Ｓの受容ポケット４１の底壁４１Ｓに上方から突き当てられることで、上段側の容器１０の下段側の容器１０Ｓへの嵌り込みが抑制される。
【００３７】
しかも、容器１０がスタッキング状態に段積みされた場合には、上段側の容器１０のポケット底壁重ね部５０は、下段側の容器１０の受容ポケット４１に受容されるので（図１０参照）、スタッキング状態において、下段側の容器１０のフランジ部２１の上面に上段側の容器１０のポケット底壁重ね部５０を当接させることなく積上支持突部３１を当接させることが可能となり、スタッキング状態における容器１０の段積みの安定化が図られる。その上、ポケット底壁重ね部５０を受容する受容ポケット４１は、ネスティング状態において積上支持突部３１を受容するので、ポケット底壁重ね部５０を受容するためのポケットを新設する必要がなくなる。
【００３８】
また、本実施形態では、積上支持突部３１には、容器本体１０Ｈの外側面に突設されて上下方向に延びる突部構成縦リブ３２が備えられていて、ポケット底壁重ね部５０は、突部構成縦リブ３２を下方に延長してなる延長リブ５１で構成されているので、ポケット底壁重ね部５０の強度アップが図られる。
【００３９】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４０】
（１）上記実施形態では、積上支持突部３１及び受容ポケット４１が、長辺側壁１３と短辺側壁１４の両方に形成されていたが、長辺側壁１４のみに形成されてもよいし、短辺側壁１３のみに形成されていてもよい。
【００４１】
（２）上記実施形態において、ポケット底壁重ね部５０は、側壁１２から突出して積上支持突部３１に連絡しない構成であってもよいし、積上支持突部３１から垂下して側壁１２に連絡しない構成であってもよい。前者の場合において、受容ポケット４１の横幅がその受容ポケット４１に受容される積上支持突部３１の横幅よりも十分に広い場合には、ポケット底壁重ね部５０は、受容ポケット４１に受容可能な範囲で積上支持突部３１の真下から側方にずれた位置であってもよい。
【００４２】
（３）上記実施形態において、容器１０が位置決めリブ６１を備えない構成であってもよい。このような構成であっても、容器１０Ｓの上にネスティング状態で容器１０を積み上げたときに、容器１０のポケット底壁重ね部５０（延長リブ５１）が容器１０Ｓの受容ポケット４１の底壁４１Ｓに突き当てられることにより、容器１０の底部が容器１０Ｓに嵌り込むことを抑制可能となる。
【００４３】
（４）上記実施形態では、複数の容器１０が段積みされる際、上段側の容器１０が下段側の容器１０と同じ向きのときにスタッキング状態となり、上段側の容器１０が下段側の容器１０と逆向き（平面視１８０度回転させた状態）のときにネスティング状態となるように容器１０が構成されていたが、上段側の容器１０が下段側の容器１０と同じ向きのときにネスティング状態となり、上段側の容器１０が下段側の容器１０と逆向きのときにスタッキング状態となるように構成されてもよい。
【００４４】
（５）上記実施形態において、ポケット底壁重ね部５０は、容器本体１０Ｈの長辺部にのみ形成されてもよいし、図１４に示すように、短辺部と長辺部の両方に形成されてもよい。図１４の例では、第１長辺側壁１３Ａから突出するポケット底壁重ね部５０は、第１長辺側壁１４Ａに設けられた１対の積上支持突部３１，３１のそれぞれにおいて、第１長辺側壁１４Ａの幅方向一方側の端部の真下に配置されている。また、第２長辺側壁１３Ｂから突出するポケット底壁重ね部５０についても、第２長辺側壁１３Ｂに設けられた１対の積上支持突部３１，３１のそれぞれにおいて、第２長辺側壁１３Ｂの幅方向一方側の端部の真下に配置されている。第１長辺側壁１３Ａと第２長辺側壁１３Ｂにおいて、ポケット底壁重ね部５０を上述の如く配置することで、容器１０がスタッキング状態に段積みされたときに、容器本体１０Ｈの長辺部に形成されたポケット底壁重ね部５０についても、下段側の容器１０の受容ポケット４１に受容される（図１５（Ａ）及び図１５（Ｂ）参照）。
【００４５】
（６）上記実施形態において、フランジ部２１は、上端張出壁２２のみで構成されてもよい。また、上記実施形態において、フランジ部２１を構成する中間張出壁２４が１つであってもよい。
【００４６】
（７）上記実施形態では、スタッキング状態において、上段側の容器１０の積上支持突部３１が下段側の容器１０のフランジ部２１の上面に当接する構成であったが、下段側の容器１０のフランジ部２１の上面に凹部や溝が形成され、上段側の容器１０の積上支持突部３１が下段側の容器１０のフランジ部２１に形成された凹部や溝の底面に当接する構成であってもよい。
【符号の説明】
【００４７】
１０    容器
１０Ｈ    容器本体
２１    フランジ部
３１    積上支持突部
３２    突部構成縦リブ
４１    受容ポケット
５０    ポケット底壁重ね部
５１    延長リブ
【図１】
0006710388.tif 000002
【図２】
0006710388.tif 000003
【図３】
0006710388.tif 000004
【図４】
0006710388.tif 000005
【図５】
0006710388.tif 000006
【図６】
0006710388.tif 000007
【図７】
0006710388.tif 000008
【図８】
0006710388.tif 000009
【図９】
0006710388.tif 000010
【図１０】
0006710388.tif 000011
【図１１】
0006710388.tif 000012
【図１２】
0006710388.tif 000013
【図１３】
0006710388.tif 000014
【図１４】
0006710388.tif 000015
【図１５】
0006710388.tif 000016